(57)【特許請求の範囲】
【請求項１】
四隅部に連結部を有し、連結部の集合位置に形成される円形貫通穴に装着されるパネルロックの押さえ頭部により押さえ付けられて床基部上適宜高さに二重床を構成するための二重床用フロアパネルであって、
連結部の側縁部には外方に行くにしたがって下方に傾斜する傾斜面が形成される二重床用フロアパネル。
【請求項２】
前記連結部はフロアパネル表面の円形貫通穴と同心円領域を凹ませたパネルロック受け面を有し、
かつ、パネルロック受け面とフロアパネル表面の境界立ち上がり壁の両側縁部は対応辺中心方向に傾斜している請求項１記載の二重床用フロアパネル。
【発明の詳細な説明】
【０００１】
【発明の属する技術分野】
本発明は二重床用フロアパネルに関する。
【０００２】
【従来の技術】
コンクリートスラブ等の床基部上適宜高さに床面を形成する際に使用される二重床用フロアパネルとしては、特開平５−３３２００１号公報に記載されたものが知られている。この従来例において、二重床用フロアパネルは四隅部に連結部を備える。フロアパネルを敷設するには、まず、床基部上に固定されたパネル支持体上にフロアパネルの四隅裏面を支承する。この状態で連結部の集合位置に円形貫通穴が形成され、次いで、該円形貫通穴、およびパネル支持体にパネルロックを挿通させた後、パネルロックを回転させて締め付けると、パネルロックの押さえ頭部により連結部が押さえつけられ、フロアパネルの不用意な浮き上がり、移動が規制される。
【０００３】
【発明が解決しようとする課題】
しかし、上述した従来例には以下の欠点がある。すなわち、パネルロックによりフロアパネルの集合位置を締め付ける際に、各フロアパネルの連結部が所定の位置に収まっていないと以下の理由によりパネルロックによる締め付けが不可能になる。例えば、図６（ａ）に示すように、フロアパネルＡの連結部１の集合位置に段差δがある場合には、パネルロック３の押さえ頭部４裏面の摺接面に飛び出し部９が発生し、パネルロック３の押さえ頭部４裏面が引っかかってパネルロック３の回転操作が不可能になる。また、図６（ｂ）に示すように、連結部１の集合位置に目地ずれがあるために円形貫通穴２が正確に形成されないと、円形貫通穴２の内周に飛び出し部９が発生し、パネルロック３の周壁が引っかかってパネルロック３への回転操作が不可能になる。このため、フロアパネルＡの予備敷設（パネルロック３による締結前工程）は、正確を期す必要があり、敷設の作業性が悪い。
【０００４】
本発明は、以上の欠点を解消すべくなされたものであって、敷設作業性の良好な二重床用フロアパネルの提供を目的とする。
【０００５】
【課題を解決するための手段】
本発明によれば上記目的は、
四隅部に連結部１を有し、連結部１の集合位置に形成される円形貫通穴２に装着されるパネルロック３の押さえ頭部４により押さえ付けられて床基部５上適宜高さに二重床を構成するための二重床用フロアパネルであって、
連結部１の側縁部には外方に行くにしたがって下方に傾斜する傾斜面６が形成される二重床用フロアパネルを提供することにより達成される。
【０００６】
パネルロック３により連結される連結部１はパネルロック３の押さえ頭部４の裏面に対応する四分円形領域に形成され、その側縁に下方に傾斜する傾斜面６が設けられる。二重床用フロアパネルを使用した二重床の構築は、従来例と同様に、パネルロック３を連結部１の集合位置に形成される円形貫通穴２に装着した後、該パネルロック３を締め付けて行われ、隣接するフロアパネルＡ、Ａ間の設置高さに誤差があって連結部１、１間に段差が生じても、段差間に傾斜面６が介在する状態となるために、側縁がパネルロック３の押さえ頭部４に食い込んでパネルロック３の回転操作を困難にすることがない。
【０００７】
請求項２に係る二重床用フロアパネルＡにおいて、連結部１はフロアパネルＡ表面の円形貫通穴２と同心円領域を凹ませたパネルロック受け面７を有し、フロアパネルＡ敷設状態でパネルロック３の押さえ頭部４は凹部内に収容される。隣接するフロアパネルＡ間の設置位置に誤差があって凹部の壁面（境界立ち上がり壁８）からフロアパネルＡの端部が飛び出していても、飛び出し部と境界立ち上がり壁８とは傾斜面６により連続しているために、パネルロック３の押さえ頭部４の側面が飛び出し部に食い込むことがない。
【０００８】
【発明の実施の形態】
二重床用フロアパネルＡは、図１、２に示すように、鋼板製の表裏面板１０、１１を周縁、および中央部で接合して形成される。表裏面板１０、１１間の接合は、周縁においては表面板１０をはぜ折りして裏面板１１周縁を挟み付けることにより行われ、中央部での接合は、裏面板１１から膨隆した押し出し膨隆部１１ａの先端に表面板側のかしめ円筒１０ａをかしめて行われる。また、表裏面板１０、１１間に形成された空隙部にはモルタル、あるいはコンクリート等の無機質充填材１２が充填され、歩行時の反響音等を防止する。なお、図２において１０ｂははぜ折り部を示す。
【０００９】
フロアパネルＡは四隅部に連結部１を備える。図３に示すように、連結部１は各辺縁の延長線１３の交点を中心とし、かつ、半径Ｒが後述するパネルロック３の押さえ頭部４の径寸法よりやや大きな四分円領域に形成される。また、連結部１の辺縁には切欠部１ａが形成されて一般部の辺縁よりやや後退し、さらに、連結部１の先端（隅部）は連結部１と同心円状に切り取られ、四分円形の切り取り部１ｂが形成される。
【００１０】
この連結部１の表面はパネルロック３の押さえ頭部４の厚さにほぼ一致する深さｄで表面板の一般面に対して凹んでおり、連結部１表面の端縁部には端部に行くに従って徐々に下方に傾斜する傾斜面６（下方傾斜面６ａ）が形成される。また、連結部１の表面と表面板の一般面を結ぶ境界立ち上がり壁８の両端には端部に行くに従って徐々に後退する傾斜面６（後方傾斜面６ｂ）が形成される。
【００１１】
以上のように構成される二重床フロアパネルＡは、図４に示すように、パネル支持装置１４を使用して床基部５上適宜高さに敷設される。パネル支持装置１４は支持プレート１４ａ上に立設される支柱１４ｂと、支柱１４ｂに高さ寸法調整可能に連結されるパネル支持体１４ｃと、パネル支持体１４ｃ上に連結されるパネルロック受け部材１４ｄと、パネルロック３とを有する。パネルロック３は軸部３ａの先端に押さえ頭部４を備え、軸部３ａ下端に４個の係止突部３ｂを放射状に設けて形成される。
【００１２】
フロアパネルＡの敷設はフロアパネルＡの四隅部裏面をパネル支持体１４ｃ上に支承して行われる。フロアパネルＡの支承により、連結部１の集合位置には、図５に示すように、各連結部１の切り取り部１ｂにより円形貫通穴２が形成され、フロアパネルＡの境界部には切欠部１ａにより円形貫通穴２から放射状に伸びる矩形切り込み部２ｂが形成される。矩形切り込み部２ｂの幅寸法はパネルロック３の係止突部３ｂの幅寸法よりやや幅広とされており、この状態でパネルロック３の係止突部３ｂを矩形切り込み部２ｂとパネルロック受け部材１４ｄに設けられる上記矩形切り込み部２ｂとほぼ同一形状の挿通孔（図示せず）に挿通させた後、パネルロック３を約４５度回転させる。パネルロック３の回転操作により、係止突部３ｂはパネルロック受け部材１４ｄの裏面に形成したカム面（図示せず）により下方に引き込まれて押さえ頭部４裏面がフロアパネルＡの連結部１の表面（パネルロック受け面７）を押し付け、フロアパネルＡの移動、あるいは浮き上がりが禁止される。
【００１３】
したがってこの実施の形態において、隣接フロアパネルＡ、Ａ間の設置高さに誤差があり、連結部１の平面性が確保されない場合であっても、下方傾斜面６ａが段差を吸収するために、パネルロック３の押さえ頭部４裏面への段差の食い込みによる回転操作不能状態を回避できる。また、設置位置に誤差があって連結部１の境界立ち上がり壁８により形成される円形貫通穴２の周壁に凹凸が生じた場合であっても、後方傾斜面６ｂが段差を吸収するために、パネルロック３の押さえ頭部４周壁への段差の食い込みによる回転操作不能状態を回避できるばかりか、僅かにずれて配置されたフロアパネルＡの後方傾斜面６ｂにはパネルロック３の回転操作によりずれ修正方向の力が与えられるために、正規位置にガイドされ、施工効率を向上させる。
【００１４】
【発明の効果】
以上の説明から明らかなように、本発明によれば、フロアパネルの敷設位置に誤差があってもパネルロックの回転操作が不能になることがないために、フロアパネルの配列時に過度の精度出しが不要になり、敷設作業性が向上する。
【図面の簡単な説明】
【図１】二重床用フロアパネルを示す図で、（ａ）は平面図、（ｂ）は裏面図である。
【図２】図１（ｂ）の２Ａ−２Ａ線断面図である。
【図３】連結部の拡大図で、（ａ）は平面図、（ｂ）は（ａ）の３Ｂ−３Ｂ線断面図、（ｃ）は（ａ）の３Ｃ−３Ｃ線断面図、（ｄ）は（ａ）の３Ｄ−３Ｄ線断面図である。
【図４】フロアパネルの敷設状態を示す断面図である。
【図５】連結部の集合状態を示す平面図である。
【図６】従来例の問題点を示す図である。
【符号の説明】
１        連結部
２        円形貫通穴
３        パネルロック
４        押さえ頭部
５        床基部
６        傾斜面
７        パネルロック受け面
８        境界立ち上がり壁
【図１】
0003897918.tif 000002
【図２】
0003897918.tif 000003
【図３】
0003897918.tif 000004
【図４】
0003897918.tif 000005
【図５】
0003897918.tif 000006
【図６】
0003897918.tif 000007